(57)【特許請求の範囲】
【請求項１】
頂上部が上空の高位置まで伸長して、該頂上部及び柱脚部に作用する外力により、少なくとも転倒モーメント及び水平力等が作用する塔状構造物の基礎構造において、
前記塔状構造物の柱脚部を固定する、プレストレスを導入するアンボンドアンカーと、
前記アンボンドアンカーと平行な方向に配した縦筋と、
前記縦筋のそれぞれに接合させて、該縦筋の長手方向に適宜間隔で配した円周をなすフープ筋と、
前記アンボンドアンカーに交差する方向であって、コンクリート基礎部の外周縁の一部から他部に掛け渡して配したＰＣ鋼線とからなり、
前記アンボンドアンカーと縦筋、フープ筋、ＰＣ鋼線に対してコンクリートを打ち込んで、前記ＰＣ鋼線によりプレストレスを導入してコンクリート基礎部を形成してあることを特徴とする塔状構造物の基礎構造。
【請求項２】
前記アンボンドアンカーを、支持すべき塔状構造物の脚部下円周上に配置してあることを特徴とする請求項１に記載の塔状構造物の基礎構造。
【請求項３】
前記ＰＣ鋼線を前記アンボンドアンカーを配した円周の直径方向に放射状に配してあることを特徴とする請求項２に記載の塔状構造物の基礎構造。
【請求項４】
前記コンクリート基礎部をフーチング部と該フーチング部から立ち上げた台座部とを有する形状に形成し、
前記縦筋を前記フーチング部に到達させてあることを特徴とする請求項１から請求項３までのいずれかに記載の塔状構造物の基礎構造。
【請求項５】
前記塔状構造物が、風力発電用の柱脚部であることを特徴とする請求項１から請求項４までのいずれかに記載の塔状構造物の基礎構造。
【発明の詳細な説明】
【技術分野】
【０００１】
この発明は、地上に建設される支柱やタワー、モニュメント等のように上空の高位置まで構築する塔状構造物の基礎構造であって、特にプレストレスを導入するアンボンドアンカーを用いた基礎構造に関する。
【背景技術】
【０００２】
地上に建設される塔状構造物として、各種のタワーやモニュメント、煙突等、種々のものがあり、その一つとして風力発電用の風車の支柱である風車用タワーがある。タワーの頂上部には、複数枚のプロペラ翼（ブレード）を備え、この風車の回転により発電する発電機、風車の指向方向を風上に合わせる回転機構等の重量物となるナセルが設置されている。また、安定して発電効率を高めるためには、安定した風を受けることが必要となり、極力高位置に頂上部を位置させることが望ましい。すなわち、風車用タワーでは、極力高位置まで頂上部を伸長させて、頂上部に重量物を支持する必要がある
【０００３】
塔状構造物では、上空の風が作用することにより水平方向の大きな荷重を受けることになる。このため、塔状構造物の基礎部分には曲げモーメントが転倒モーメントとして作用する。特に、風車用タワーでは、水平方向の荷重以外に、風車のブレードの回転や前記回転機構による風車の向きの変更等、さらにはそれら多様な荷重の組み合わせにより、複雑な荷重が繰り返し作用することになり、風車用タワーを転倒させるおそれがある。また、日本では地震荷重による転倒モーメントも大きいため、風による荷重に加えて地震にも対応できる基礎構造が望まれている。
【０００４】
高層建物や塔状建造物の基礎構造を提案するものとして、例えば、特許文献１に開示された地盤アンカー兼用杭工法や、特許文献２に開示された風力発電タワー、特許文献３に開示された風車タワーのアンカーフレームがある。また、特許文献４には、基礎コンクリートの寸法を過大にすることなく、アンカーボルトの定着耐力を確保することができる鉄骨柱脚として、鉄骨柱の下端に接合された柱脚金物を、基礎コンクリート中に埋設されたアンカーボルトとナットによって基礎コンクリート上に固定してなる鉄骨柱脚が開示されている。
【０００５】
また、本願出願人は、支柱やタワー等の塔状構造物の基礎構造であって、プレストレスを導入するアンボンドアンカーを用いて固定する柱脚部を有する基礎構造において、コンクリートのひび割れの発生を極力抑制する塔状構造物の基礎構造を提案した（特許文献５参照）。この特許文献５に開示された基礎構造は、頂上部が上空の高位置まで伸長して、該頂上部及び柱脚部に作用する外力により、少なくとも転倒モーメント及び水平力等が作用する塔状構造物の基礎構造において、前記塔状構造物の柱脚部を固定する、プレストレスを導入するアンボンドアンカーと、前記アンボンドアンカーと平行な方向に配した縦筋と、前記縦筋のそれぞれに接合させて、該縦筋の長手方向に適宜間隔で配した円周をなすフープ筋と、前記アンボンドアンカーと前記縦筋とに交差する方向に配した放射状水平筋とからなり、前記アンボンドアンカーと縦筋、円周のフープ筋、放射状水平筋に対してコンクリートを打ち込みコンクリート基礎部を形成してある構造とされたものである。
【０００６】
また、非特許文献１の中で、フーチング基礎の立ち上がり部（ペデスタル）の柱状鉄筋の設計方法が述べられており、アンカーボルトの設計については、ボルト下端部にナットなどにて接合される接続部材（アンカーリング）によって引き起こされる各種応力が、コンクリートの許容値およびアンカーリング部材そのものの許容値を満足されるかどうかと、アンカーボルト表面のコンクリートとの付着が許容値を満足しているかどうかを検討するようになっている。
【０００７】
さらに、非特許文献２においては、頭付きアンカーボルトのコーン状破壊により決まる許容引き抜き力とアンカーボルト部材そのものの許容値の小さい方で設計することとしている。
【先行技術文献】
【特許文献】
【０００８】
【特許文献１】特公平５−５９２１９号公報
【特許文献２】特開２００２−１２２０６６号公報
【特許文献３】特開２００４−２７８４００号公報
【特許文献４】特開平５−２５８３２号公報
【特許文献５】特許第４２４２４４５号公報
【非特許文献】
【０００９】
【非特許文献１】煙突構造設計施工指針（日本建築センター）
【非特許文献２】各種合成構造設計指針（日本建築学会）
【発明の概要】
【発明が解決しようとする課題】
【００１０】
特許文献１に開示された杭工法による支持建造物は、主として建物であり、風や地震等による水平力によって転倒モーメントを受けることで建物に生じる浮力に抵抗するものであって、風車用タワーのように複雑な転倒モーメントが生じる場合には信頼性を確保できないおそれがある。また、特許文献２に開示された風力発電タワーでは、中空筒体を積重して形成したタワー本体と、横断面がＴ字形のプレストレストコンクリート補強部材を前記タワー本体の基底部側の外周に沿って設け、前記補強部材を基礎及びタワー本体に結合固着した構造である。また、特許文献３に開示されたアンカーフレームは、上下一対のリング状のアンカープレートと、該上下一対のアンカープレートを一定間隔を置いて接続する複数本の接続部材と、該接続部材間に配置された複数本のアンカーボルトと、前記上下一対のアンカープレートを基礎上で所定の高さに位置させるために下部アンカープレートの下面に接続された複数本の支柱からなり、前記接続部材と前記支柱を鋼管で構成したものである。
【００１１】
前記特許文献２や特許文献３に開示された基礎構造では、基礎部材の中央部に突出させた基礎台座部であるペデスタルを形成し、このペデスタルにタワーを定着させた構造であり、前記接続部材とアンカーボルト、支柱とから構成されている。しかし、打ち込まれたコンクリートとアンカーボルトとは付着力で接合されるため、転倒モーメントが載荷してこの付着が切れた場合、コンクリートにひび割れを生じ、さらにコンクリートの許容応力度を超えた場合にはコンクリートを破損してしまうおそれがある。このため、基礎はアンカーボルトとコンクリートとの付着を有さない形式とし、荷重の伝達メカニズムを変えることにより、コンクリートの負担を軽減させるアンボンドアンカーを用いた構造とすることが望ましい。
【００１２】
また、特許文献４に開示された鉄骨柱脚では、コンクリートに水平方向に発生する荷重に対しては、この発明に係る寸法条件を満たすことにより鉄筋にアンカーボルトの引張力が伝達されて、コーン状破壊を抑止して基礎の寸法を小さくできるものとされている。しかし、コンクリート基礎の破壊メカニズムは、コーン状破壊によるもののみでなく、特に、風力発電用のタワーでは、前述したように、タワー頂部に重量物が設置されることもあって、コーン状破壊以外の破壊メカニズムが作用すると考えられる。したがって、特許文献４に記載された発明では、風車用タワーのように頂上部が上空の高位置まで伸長した塔状構造物の基礎構造としては、十分な耐久力を備えることができないおそれがあり、特に風力発電用のタワーにおける破壊メカニズムは、特許文献４に記載された鉄骨柱脚で問題とされているコーン状破壊のみでは十分に耐力を確保できるものではないといえる。
【００１３】
また、非特許文献５及び非特許文献６に開示されているように、従前の塔状構造物の基礎構造は、前記指針等を参考としてコンクリートに付着したアンカーボルトおよびその下端部にナットなどにて接合される接続部材（アンカーリング）が、フーチング基礎の立ち上がり部（ペデスタル）に配置され、上部構造から受ける転倒モーメントを柱状の構造により抵抗することを基本として設計されている。
【００１４】
煙突などに代表される塔状構造物（タワー）の支持構造物は、基礎部材の中央部に突出させた基礎台座部であるペデスタルを形成し、このペデスタルにタワーを定着させた構造であり、定着部は打設されたコンクリートの中で前記アンカーボルトと接続部材（アンカーリング）とから構成されている。また、コンクリートとアンカーボルトは付着して接合していることを前提に設計されており、転倒モーメントが載荷されるとアンカーボルト横に配置した縦方向の鉄筋にコンクリートを介して引張力を伝える。
【００１５】
一方、風車用タワーなどは、上部構造物の固有周期を、脚部を固定にすることで決定できる。この完全固定あるいはこれに近い状態にしたい場合には、アンボンドアンカーを用い、コンクリート打ち込み後にアンカーボルトに緊張力（プレストレス）を与えた構造とすることが考えられる。また、風車のような回転機により、常時荷重変動を受ける基礎ボルトに疲労破壊を起こさせない目的でボルトにプレストレスを入れることがある。
【００１６】
アンボンドアンカーを用いてプレストレスを加えると、アンボンドアンカー周りのコンクリートに、該アンボンドアンカーの下端定着部（アンカーリング）より下の鉛直方向と、アンボンドアンカーの交差方向（水平方向）に引張荷重が作用することになるため、プレストレスを加えないコンクリートとの付着に期待するアンカーボルトとは異なる応力状態が発生することになり、プレストレス導入時に必要な鉄筋が不足していると、プレストレス導入直後および塔状構造物へ通常の荷重下であってもコンクリートにひび割れが生じ、そのひび割れが進行するとアンボンドアンカーに沿ってコンクリートが破断するおそれがある。また、この構造により脚部の転倒モーメントに対して抵抗する構造は、前記アンカーボルト横に平行に配置した縦方向の鉄筋にコンクリートを介して引張力を伝えると共に、放射状の水平筋が転倒モーメントの圧縮側で発生する水平方向の引張力に抵抗する。
【００１７】
そこで、特許文献５に開示されているように、アンボンドアンカーを用いて、プレストレスを導入した場合でも、コンクリートに有害なひび割れを生じさせず、また、転倒モーメントに対しても十分に抵抗できる基礎形状と鉄筋の配置を考慮した塔状構造物の基礎構造とすることで、上述した問題が解決された。
【００１８】
本願発明は、前記特許文献５に開示された基礎構造の改良に係るものであり、例えば、特許文献５に係る基礎構造を施工する際に鉄筋が過密になる場合等には、同様の効果を期待できる別の方法での施工の簡略化を図ることが望まれている。
【００１９】
そこで、この発明は、アンボンドアンカーを用いて、プレストレスを導入してコンクリートを打ち込んで施工する基礎構造であって、施工の簡略化を図ってコンクリートに発生する有害なひび割れを防止し、転倒モーメントに十分に抵抗できる塔状構造物の基礎構造を提供することを目的としている。
【課題を解決するための手段】
【００２０】
前記目的を達成するための技術的手段として、この発明に係る塔状構造物の基礎構造は、頂上部が上空の高位置まで伸長して、該頂上部及び柱脚部に作用する外力により、少なくとも転倒モーメント及び水平力等が作用する塔状構造物の基礎構造において、前記塔状構造物の柱脚部を固定する、プレストレスを導入するアンボンドアンカーと、前記アンボンドアンカーと平行な方向に配した縦筋と、前記縦筋のそれぞれに接合させて、該縦筋の長手方向に適宜間隔で配した円周をなすフープ筋と、前記アンボンドアンカーに交差する方向であって、コンクリート基礎部の外周縁の一部から他部に掛け渡して配したＰＣ鋼線とからなり、前記アンボンドアンカーと縦筋、フープ筋、ＰＣ鋼線に対してコンクリートを打ち込んで、前記ＰＣ鋼線によりプレストレスを導入してコンクリート基礎部を形成してあることを特徴としている。
【００２１】
プレストレスが導入されたアンボンドアンカーにより塔状構造物を支持した状態では、アンボンドアンカーとコンクリートの間に付着が無いため、これにより荷重は伝達されない。しかしながら、プレストレスを導入したアンボンドアンカーボルトおよび下端部のアンカーリングに囲まれたコンクリートは強固に一体化されることでアンカーリングに荷重を伝達させるものである。この場合、コンクリートの鉛直方向に圧縮応力を生じさせる一方、これと交差する水平方向にコンクリートを膨張させようとする、引張応力を同時に発生させてしまう。また、該頂上部に作用する外力による基礎への反力として、転倒モーメントにより圧縮側コンクリート部において更なる鉛直方向圧縮応力が上記プレストレス導入による圧縮応力に加わる。同様に水平方向の引張応力も更に増大させることになる。これらの引張応力を、フープ筋及び前記アンカーボルトに交差して配したＰＣ鋼線により導入されたプレストレス力と相殺させることで引張力に抵抗する。
【００２２】
また、請求項２の発明に係る塔状構造物の基礎構造は、前記アンボンドアンカーを、支持すべき塔状構造物の脚部下円周上に配置してあることを特徴としている。
【００２３】
アンボンドアンカーを効率的に配するために、塔状構造物の柱断面中心位置を中心とした円周上に配置する構造とし、さらに、この円弧の径方向に一対のアンボンドアンカーを並設して配置している。この場合、アンボンドアンカーを挟む位置に前記縦筋を配置させることが好ましい。
【００２４】
また、請求項３の発明に係る塔状構造物の基礎構造は、前記ＰＣ鋼線を前記アンボンドアンカーを配した円周の直径方向に放射状に配してあることを特徴としている。
【００２５】
アンボンドアンカーが円周上に配された場合に、その円弧の直径方向に前記ＰＣ鋼線を配したものである。塔状構造物に加えられるいずれの方向の転倒モーメントに対しても等しく抵抗することができる。
【００２６】
また、請求項４の発明に係る塔状構造物の基礎構造は、前記コンクリート基礎部をフーチング部と該フーチング部から立ち上げた台座部とを有する形状に形成し、前記縦筋を前記フーチング部に到達させてあることを特徴としている。
【００２７】
フーチング部の上面に台座部を有さず、雨水を排出させることができる程度に傾斜させた平面あるいは傾斜面に形成するものであっても構わないし、フーチング部の上部に台座部を形成した形状とするものであっても構わない。台座部は、前記ＰＣ鋼線を配することができる大きさで形成されていれば十分である。前記アンボンドアンカーと縦筋、フープ筋、ＰＣ鋼線にコンクリートを打ち込んでこの台座部を形成する。この場合、縦筋の下端部はフーチング部まで伸長させ、該フーチング部に配された鉄筋に接合させる。
【００２８】
また、請求項５の発明に係る塔状構造物の基礎構造は、前記塔状構造物が、風力発電用の柱脚部であることを特徴としている。
【００２９】
この発明に係る基礎構造は、特に風車用タワーの柱脚部を支持する場合に適したものである。煙突や各種のタワー等を支持する基礎の構造としては種々の形式のものがあるが、いずれも転倒モーメントと水平力を考慮した構造であって、風車の場合のように、繰り返し荷重や回転機による疲労荷重に抵抗するように設計されているものではない。本願発明に係る基礎構造では、前記ＰＣ鋼線を配することにより、アンボンドアンカーと交差する方向に作用するコンクリート基礎部の引張応力に抵抗させることができるため、繰り返し荷重等が作用する風車用タワーの基礎に適したものとなる。
【発明の効果】
【００３０】
この発明に係る塔状構造物の基礎構造によれば、プレストレスが導入された後であっても、コンクリートへ作用する応力に、前記アンボンドアンカーに対して配置した縦筋とＰＣ鋼線及びフープ筋とが抵抗して、プレストレス導入時、その後の外力による作用荷重、繰り返しによる疲労荷重によるコンクリートのひび割れが抑制され、破断に至ることを防止できる。
【００３１】
また、請求項２の発明に係る塔状構造物の基礎構造によれば、塔状構造物に働く外力による方向に拘わらず、いずれの方向に働く荷重に対しても確実に抵抗させることができる。
【００３２】
また、請求項３の発明に係る塔状構造物の基礎構造によれば、ＰＣ鋼線を効率的に配設することができ、アンボンドアンカーの長手方向に交差するいずれの方向においても確実に引張応力に抵抗させることができる。
【００３３】
また、請求項４の発明に係る塔状構造物の基礎構造によれば、打ち込むコンクリートの量が最少となり、建設コストを低減することができる。なお、台座部を形成せずに上面を平面あるいは傾斜面とする場合には、基礎の形状が単純になるので、施工を容易にすることができる。
【００３４】
また、請求項５の発明に係る塔状構造物の基礎構造によれば、回転機などからの荷重が作用する場合であっても倒壊させることがなく、特に複雑な荷重がかかる風力発電用の柱脚部を支持する基礎に採用することが適している。
【図面の簡単な説明】
【００３５】
【図１】この発明に係る構造を備えた基礎の概略の断面図である。
【図２】図１におけるＡ−Ａ線に沿って切断した断面図である。
【図３】この発明に係る基礎構造のアンボンドアンカーの配置状態を説明する概略の斜視図である。
【図４】プレストレスを導入したアンボンドアンカーの周囲に作用する荷重の分布の概略を説明する図である。
【発明を実施するための形態】
【００３６】
以下、図示した好ましい実施の形態に基づいて、この発明に係る塔状構造物の基礎構造を具体的に説明する。
【００３７】
図１にこの発明に係る構造を備えた基礎の概略を示しており、風力発電用の柱脚部等の塔状構造物１を支持している状態を示している。この塔状構造物１の建設場所の地中に打ち込まれた杭２に、基礎３が配置される。この実施形態では、この基礎３はフーチング部3aと台座部3bとを備えた形状に形成されている。
【００３８】
塔状構造物１は、図３に示すように、環状のベースプレート４にアンボンドアンカー５を介して固定される。このアンボンドアンカー５は、前記ベースプレート４とアンカープレート６とに掛け渡されて、プレストレスが導入されるようにしてある。これらベースプレート４とアンカープレート６とは、図２及び図３に示すように円形に形成されており、アンボンドアンカー５は、この円形の径方向に一対が配されて、これらの対が円周に沿って配置されている。なお、ベースプレート４等の中心は、塔状構造物１の柱断面中心Ｃとほぼ一致させてある。このアンボンドアンカー５と平行に縦筋7a、7bが配される。この縦筋7a、7bは、下端部が基礎３のフーチング部3aに達しており、該フーチング部3aに配置された配筋3cに接合されている。この縦筋7a、7bは、アンカーボルト５を挟んで、外側には外側縦筋7aが、内側には内側縦筋7bが、それぞれ配されている。また、外側縦筋7aの外側には、塔状構造物１の柱断面中心Ｃを中心とした円周に沿って環状の外側フープ筋9aが、内側縦筋7bの内側には内側フープ筋9bが、それぞれ縦筋７に接合されて配設されている。
【００３９】
そして、図１および図２に示すように、前記アンボンドアンカー５が配された円弧の径方向に複数本のＰＣ鋼線８が配されて、アンボンドアンカー５が配されている台座部3bを形成するコンクリートにプレストレスが導入されるようにしてある。このＰＣ鋼線８は図１に示すように、適宜間隔で鉛直方向に複数箇所に配されている。なお、このＰＣ鋼線８の定着具8aが前記台座部3bの周壁面に露呈している。
【００４０】
ベースプレート４とアンカープレート６に、プレストレスを導入した状態で掛け渡したアンボンドアンカー５と縦筋7a、7b、フープ筋9a、9b、ＰＣ鋼線８とにコンクリートを打ち込んで、前記フーチング部3aと台座部3bとを形成する。なお、ＰＣ鋼線８は図示しないシーズ内に配され、打ち込まれたコンクリートを養生した後に緊張させて前記定着具8aにて固定して、プレストレスを導入する。また、前記台座部3bにあっては、このＰＣ鋼線８を配することができる外径寸法に形成されていればよい。
【００４１】
以上により構成された基礎構造では、例えば風車用タワーを固定するためにプレストレスが導入されたアンボンドアンカー５の周囲のコンクリートについては、図４の破線で示すようにアンボンドアンカー５の長手方向と、この長手方向と交差する方向とに引張荷重が作用する。これらの引張荷重に対して、アンボンドアンカー５の長手方向と交差させて配した前記ＰＣ鋼線８とフープ筋9a、9b、アンボンドアンカー５の長手方向に平行に配された前記縦筋7a、7bとがそれぞれ抵抗する。したがって、コンクリートにひび割れが生じることが極力抑制され、破断することが防止される。
【００４２】
また、風や地震等により受ける水平荷重が転倒モーメントとして作用するときにも前述と同様な荷重が作用するのに加えて、転倒モーメントによる圧縮側においてコンクリート基礎に水平方向の引張力が付加される。周囲のコンクリートに発生する水平方向の引張応力に前記ＰＣ鋼線８により導入されたプレストレスが抵抗し、コンクリートにひび割れが生じることが極力抑制され、破断することが防止される。
【００４３】
また、打ち込むコンクリートに、合成繊維や鋼繊維などの短繊維を混入させた、いわゆるファイバーコンクリートを用いることもでき、コンクリートに付与される引張力に対抗してひび割れの発生をより抑制できる。
【００４４】
以上説明した実施形態では、ベースプレート４等を円形にして、アンボンドアンカー５を円周上に配した構造として説明したが、塔状構造物１の断面形状に応じて、他の形状で配置することもできる。また、径方向に１対ずつのアンボンドアンカー５を配置したが、１本あるいは３本以上を配置するものとすることもできる。
【００４５】
また、上述した実施形態では、風力発電のタワーに適した基礎構造として説明したが、これに限らず、モニュメントや煙突等のように上空の高位置まで伸長させた塔状構造物の基礎構造として用いることもできる。
【産業上の利用可能性】
【００４６】
この発明に係る塔状構造物の基礎構造によれば、プレストレスを導入したアンボンドアンカーを用いることにより柱脚部が固定され、転倒モーメントがコンクリートに伝達されるときに起こる引張応力に抵抗して、大きな水平荷重が繰り返し作用する風車用タワーに適した基礎構造となり、倒壊することを極力防止できて、塔状構造物の耐用年数を長くすることに寄与することができる。
【符号の説明】
【００４７】
１  塔状構造物
２  杭
３  基礎
3a  フーチング部
3b  台座部
４  ベースプレート
５  アンボンドアンカー
６  アンカープレート
7a、7b  縦筋
８  ＰＣ鋼線
8a  定着具
9a  外側フープ筋
9b  内側フープ筋
【図１】
0006569103.tif 000002
【図２】
0006569103.tif 000003
【図３】
0006569103.tif 000004
【図４】
0006569103.tif 000005